(57)【特許請求の範囲】
【請求項１】
体腔内等へ挿入する挿入部と、
前記挿入部の先端部に設けられた、処置具を導出可能な処置具導出口と、
前記挿入部の先端部において前記処置具導出口より先端側に配設された、超音波ビームを送受信する超音波送受信ヘッドと、
前記超音波送受信ヘッドの開口面に配設された超音波振動子アレイであって、前記挿入部の先端部の挿入方向に複数個並設された超音波振動子群を、当該挿入方向に平行な軸に沿って３列に配設して構成された超音波振動子アレイと、
前記超音波振動子アレイにおける前記３列のうち、中央の列の超音波振動子群には第１の遅延時間を有する第１の遅延回路を接続可能とし、両側の２列の超音波振動子群には前記第１の遅延時間より長い第２の遅延時間を有する第２の遅延回路を接続可能とすることで、前記超音波振動子アレイにおける前記３列各列の超音波振動子群に供給する駆動信号の遅延時間を制御し、超音波ビームの走査範囲の方向を、ビーム幅を一定に維持しながら偏向可能とする偏向制御手段と、
を具備し、
前記偏向制御手段は、前記３列の超音波振動子群に対していずれの遅延回路も介さずに駆動信号を供給することにより前記超音波ビームの走査範囲の方向を偏向させない第１のモードと、両側のいずれかの列の超音波振動子群に対して前記第２の遅延回路を介して駆動信号を供給すると共に前記中央の列の超音波振動子群に対して前記第１の遅延回路を介して駆動信号を供給し、さらに前記第２の遅延回路を介して駆動信号を供給する列とは反対側の列の超音波振動子群に対しては遅延回路を介さずに駆動信号を供給することにより前記超音波ビームの走査範囲の方向を、ビーム幅を一定に維持しながら偏向する第２のモードとに制御可能とする
ことを特徴とする超音波プローブ。
【請求項２】
前記処置具導出口は、前記超音波振動子アレイの挿入方向中心軸上に形成されたことを特徴とする請求項１に記載の超音波プローブ。
【発明の詳細な説明】
【０００１】
【発明の属する技術分野】
本発明は、体腔内等に穿刺針等の処置具を導出可能な超音波プローブに関する。
【０００２】
【従来の技術】
近年、超音波ビームを送受信する超音波振動子を先端に備えた可撓性の挿入部を体腔内等に挿入し、この超音波振動子から体腔内等に送信した超音波ビームの反射波を電気信号として出力する超音波プローブが広く利用されている。この超音波プローブからの出力信号を外部装置で画像化した超音波断層像等の超音波画像は、モニタ表示して患部の診断等に用いられる。
このような超音波プローブは、超音波振動子を備えるばかりでなく、患部の組織片を採取したり患部に薬剤を注入する穿刺針等の処置具を挿通させるための処置具チャンネルを内部に備える場合がある。
このとき、処置具チャンネルを挿通して挿入部先端の処置具導出口から患部等に向けて導出された穿刺針等の処置具の位置が適切であるかを前記超音波画像によってリアルタイムに確認しようとする要求がある。そこで、例えば、特開平６−１０５８４７号では、挿入部先端に超音波振動子及び処置具導出口を配設し、超音波振動子の走査範囲に向けて穿刺針等の処置具が導出されるような向きに処置具導出口を配置した構成が提案されている。
しかしながら、体腔内等に挿入された挿入部は一般に湾曲しており、この湾曲した挿入部内の処置具チャンネルを挿通して処置具導出口より導出された穿刺針等の処置具の先端が湾曲してしまい、処置具導出口が超音波振動子の走査範囲を向いていても、穿刺針などの処置具の先端が走査範囲から外れてしまうことがある。このような場合には、超音波画像内に穿刺針等の処置具の先端が描出されるように挿入部先端の位置を調整する作業が生じる等して、作業性が損ねられていた。
このような背景に鑑みて、例えば、特開平９−１３５４９８号では、送信される超音波ビームのビーム幅を可変とした構成が示されている。この従来例では、穿刺針が湾曲した場合に、ビーム幅を広げることで、超音波画像内に穿刺針を描出することが可能となっている。
【０００３】
【発明が解決しようとする課題】
しかしながら、従来の技術で述べた特開平９−１３５４９８号に示される構成では、超音波ビームのビーム幅を広げた際に、超音波ビームの分解能が劣化し、超音波画像の画質が劣化するという問題があった。
本発明は、上記事情に鑑みてなされたものであり、穿刺針等の処置具が湾曲した場合でもこの処置具の位置に超音波ビームを照射することができ、且つ超音波ビームの分解能の劣化を防止できる超音波プローブを提供することを目的とする。
【０００４】
【課題を解決するための手段】
前記目的を達成するため、本発明は、体腔内等へ挿入する挿入部と、前記挿入部の先端部に設けられた、処置具を導出可能な処置具導出口と、前記挿入部の先端部において前記処置具導出口より先端側に配設された、超音波ビームを送受信する超音波送受信ヘッドと、前記超音波送受信ヘッドの開口面に配設された超音波振動子アレイであって、前記挿入部の先端部の挿入方向に複数個並設された超音波振動子群を、当該挿入方向に平行な軸に沿って３列に配設して構成された超音波振動子アレイと、前記超音波振動子アレイにおける前記３列のうち、中央の列の超音波振動子群には第１の遅延時間を有する第１の遅延回路を接続可能とし、両側の２列の超音波振動子群には前記第１の遅延時間より長い第２の遅延時間を有する第２の遅延回路を接続可能とすることで、前記超音波振動子アレイにおける前記３列各列の超音波振動子群に供給する駆動信号の遅延時間を制御し、超音波ビームの走査範囲の方向を、ビーム幅を一定に維持しながら偏向可能とする偏向制御手段と、を具備し、前記偏向制御手段は、前記３列の超音波振動子群に対していずれの遅延回路も介さずに駆動信号を供給することにより前記超音波ビームの走査範囲の方向を偏向させない第１のモードと、両側のいずれかの列の超音波振動子群に対して前記第２の遅延回路を介して駆動信号を供給すると共に前記中央の列の超音波振動子群に対して前記第１の遅延回路を介して駆動信号を供給し、さらに前記第２の遅延回路を介して駆動信号を供給する列とは反対側の列の超音波振動子群に対しては遅延回路を介さずに駆動信号を供給することにより前記超音波ビームの走査範囲の方向を、ビーム幅を一定に維持しながら偏向する第２のモードとに制御可能とすることを特徴とする。
【０００５】
【発明の実施の形態】
以下、図面を参照して本発明の実施の形態を説明する。
【０００６】
（第１の実施の形態）
図１ないし図５は本発明の第１の実施の形態に係り、図１は超音波プローブの全体構成を示す説明図、図２は先端部の構成を示す説明図、図３は超音波ビームを走査するための構成を示す説明図、図４は超音波ビームを偏向させるための構成を説明する説明図、図５は穿刺針が湾曲している場合の作用を示す作用説明図で、（Ａ）は先端部を前方から見た正面図、（Ｂ）は（Ａ）の右側面図、（Ｃ）は（Ａ）の平面図である。
【０００７】
図１に示すように、本実施の形態の電子走査式の超音波プローブ１は、体腔内等に挿入する細長の挿入部２と、この挿入部２基端に連設され超音波プローブ１を把持し操作するための操作部３と、この操作部３側部から延出し超音波プローブ１に照明光を供給する図示しない光源装置や超音波プローブ１からの出力信号を映像信号化する図示しない超音波観測装置に接続するためのユニバーサルコード４から主に構成されている。
前記挿入部２は、その先端に位置する先端部５と、操作部３からの操作により湾曲自在な湾曲部６と、可撓性の可撓部７が順に連設されて構成されている。  前記操作部３には、体腔内の患部等に処置を施す穿刺針等の処置具を挿入するための処置具挿入口８が設けられており、この処置具挿入口８は、挿入部２内を挿通する図示しない処置具チャンネルを介して、先端部に設けられた処置具導出口９に連通している。
【０００８】
図２に示すように、先端部５は、前記処置具挿入口８から挿入された穿刺針等の処置具が導出される処置具導出口９と、前記光源装置からの照明光を被写体に向けて照射する照明窓１１と、被写体を光学的に観察する観察窓１２と、この観察窓１２等を洗浄する水や空気を噴出する洗浄ノズル１３と、先端部５側面方向に開口面を向けて配置され超音波ビームを走査し送受信する超音波ヘッド１０を有して構成される。照明窓１１と、観察窓１２と、洗浄ノズル１３は、処置具導出口９の近傍に配置され、超音波ヘッド１０は、処置具導出口９より先端側の位置に配置されている。
前記超音波ヘッド１０の開口面には、超音波振動子アレイ１４が配設されており、この超音波振動子アレイ１４には、圧電素子等で構成される超音波素子１５が、挿入方向に複数段、挿入方向に直交する方向に例えば３列並べて配列されている。超音波素子１５を並べる列数は３列に限らず、それ以上であってもよい。なお、本明細書では、超音波振動子アレイ１４における超音波素子１５の挿入方向への配列を「段」と呼び、挿入方向に直交する方向への配列を「列」と呼んでいる。
前記処置具導出口９は、超音波振動子アレイ１４の開口面側から先端部５を見た場合に、超音波振動子アレイ１４の挿入方向の中心軸Ｄ−Ｄ上に位置するように配置されている。
【０００９】
図３に示すように、超音波振動子アレイ１４の開口面上には、超音波レンズ２１が配設されている。この超音波レンズ２１は、図に示す向きから見た場合には、平面形状になっている。
超音波振動子アレイ１４を構成する各超音波素子１５は、各段毎に設けられた偏向制御回路２２に接続され、各段毎の偏向制御回路２２は、各段毎に設けられた電子スイッチ２３にそれぞれ接続されており、これら電子スイッチ２３の他端は、超音波素子１５を駆動する駆動回路２４に接続されている。超音波振動子アレイ１４は、各電子スイッチ２３が順次開閉することで、超音波ビームを挿入方向に直線的に走査いわゆるリニア電子走査を行うようになっている。
【００１０】
図４に示すように、超音波レンズ２１は、この図の向きから見ると凸レンズ状に形成されており、超音波振動子アレイ１４から送信された超音波ビームを収束させるようになっている。
各段毎に設けられた偏向制御回路２２は、超音波ビームの偏向方向を切り替える偏向切替スイッチ３１を有し、この偏向切替スイッチ３１の状態により、駆動回路２４から電子スイッチ２３を介して各列の超音波素子１５に与えられる駆動信号の遅延時間を選択するようになっている。駆動信号の遅延は、偏向切替スイッチ３１と超音波素子１５との間に遅延回路３２を設けて行う。図において、長さの異なる遅延回路３２は、長いほど遅延時間が大きいことを示している。
【００１１】
ここで、偏向切替スイッチ３１を接点ａに接続すると、各列の超音波素子１５には、遅延回路３２を介さないで駆動信号が供給される。また、偏向切替スイッチ３１を接点ｂに接続すると、図中の左列の超音波素子１５には、遅延時間の大きい遅延回路３２を介して駆動信号が供給され、図中の中央列の超音波素子１５には、遅延時間の小さい遅延回路３２を介して駆動信号が供給され、図中の右列の超音波素子１５には、遅延回路３２を介さないで駆動信号が供給される。また、偏向切替スイッチ３１を接点ｃに接続すると、接点ｃに接続した場合の左列と右列とを入れ替えた状態となる。なお、各段の偏向制御回路２２の偏向切替スイッチ３１は連動して動作するようになっている。このようにして、各列の超音波素子１５に与えられる駆動信号の位相が制御され、偏向切替スイッチ３１を接点ａに接続すると、超音波ビームの走査範囲が方向Ａに向けて偏向され、接点ｂに接続すると、超音波ビームのが走査範囲が方向Ｂに向けて偏向され、接点ｃに接続すると、超音波ビームの走査範囲が方向Ｃに向けて偏向されるようになっている。
【００１２】
次に、本実施の形態の作用を述べる。
図３に示す電子スイッチ２３は、同時に何段かの電子スイッチ２３の一群がオン状態になり、このオン状態の一群が走査方向つまり挿入方向に移動するかの如く各電子スイッチ２３が順次開閉制御されることで、超音波ビームがリニア電子走査される。図４に示す偏向切替スイッチ３１は、通常は接点ａに接続させておくことで、超音波ビームは、方向Ａに向けて送出される。
【００１３】
ここで、図５に示すように、患部等に処置を施すために、処置具導出口９から穿刺針４１を導出させる。図中の実線で示すように、穿刺針４１の湾曲が少ない場合には、穿刺針４１は、方向Ａに向けて送出されている超音波ビームの走査範囲内に位置している。
【００１４】
ところが、図中の２点破線で示すように、穿刺針４１の先端が湾曲した場合には、穿刺針４１は、方向Ａに向けて送出されている超音波ビームの走査範囲から外れてしまう。この場合には、偏向切替スイッチ３１を接点ｂに接続する。すると、超音波ビームは方向Ｂに向けて送出され、穿刺針４１は超音波ビームの走査範囲に位置するようになる。つまり、穿刺針４１が湾曲しても、穿刺針４１を超音波ビームの走査範囲に位置させることができるようになっている。また、このとき、偏向切替スイッチ３１を切り替えても、各列の超音波素子１５は、図４に示すように、いずれも開口した状態であり、超音波ビームのビーム幅は概ね一定に維持され、従って、超音波ビームの分解能は概ね一定に維持される。また、図４に示す向きから見た超音波レンズ２１は、凸レンズ状に形成されており、これにより超音波ビームが収束するので、必要な分解能が得られるようになっている。
【００１５】
以上説明した本実施の形態によれば、穿刺針４１等の処置具が湾曲した場合でも、偏向制御回路２２により超音波ビームを偏向させることで、穿刺針４１の位置に超音波ビームを照射することができ、このとき超音波ビームを偏向させてもビーム幅は概ね一定に維持されるので、超音波ビームの分解能の劣化を防止できる。
【００１６】
（第２の実施の形態）
図６ないし図１０は本発明の第２の実施の形態に係り、図６は超音波プローブの全体構成を示す説明図、図７は先端部の構成を示す一部断面図を含む説明図、図８は超音波送受信ユニットの構成を示す断面図、図９は超音波ビームを偏向させる際の作用を示す断面図、図１０は超音波ビームを図９とは反対側に偏向させる際の作用を示す断面図である
図６に示すように、本実施の形態の機械走査式の超音波プローブ５１は、体腔内等に挿入する細長の挿入部５２と、この挿入部５２基端に連設され超音波プローブ５１を把持し操作するための操作部５３と、この操作部５３側部から延出し超音波プローブ１に照明光を供給する図示しない光源装置に接続するためのユニバーサルコード５４と、前記操作部５３基端に連設され超音波ビームを走査する際の回転駆動力を発生させる図示しないモータやこのモータの回転量を検出するための図示しないエンコーダを有する副操作部５５と、この副操作部５５側部から延出し超音波プローブ５１からの出力信号を映像信号化する図示しない超音波観測装置に接続するための超音波コード５６から主に構成される。
前記挿入部５２は、その先端に位置する先端部５７と、操作部５３からの操作により湾曲自在な湾曲部５８と、可撓性の可撓部５９が順に連設されて構成されている。
前記操作部５３には、体腔内の患部等に処置を施す穿刺針等の処置具を挿入するための処置具挿入口６０が設けられており、この処置具挿入口６０は、挿入部５２内を挿通する図示しない処置具チャンネルを介して、先端部に設けられた処置具導出口６１に連通している。
【００１７】
図７に示すように、先端部５７は、前記処置具挿入口６０から挿入された穿刺針等の処置具が導出される処置具導出口６１と、前記光源装置からの照明光を被写体に向けて照射する照明窓６２と、被写体を光学的に観察する観察窓６３と、この観察窓６３等を洗浄する水や空気を噴出する洗浄ノズル６４と、超音波ビームを走査し送受信する超音波ヘッド６５を有して構成される。照明窓６２と、観察窓６３と、洗浄ノズル６４は、処置具導出口６１の近傍に配置され、超音波ヘッド６５は、処置具導出口６１より先端側の位置に配置されている。
【００１８】
前記超音波ヘッド６５は、超音波ビームを送受信する超音波送受信ユニット７１と、この超音波送受信ユニット７１で送受信される超音波ビームを反射して超音波ビームの方向を変える超音波反射ミラー７２と、前記副操作部５５内のモータから超音波プローブ５１内を挿通する柔軟なフレキシブルシャフト７３を介して伝達された回転駆動力の回転軸を変換して前記超音波反射ミラー７２に回転駆動力を伝達するためのベベルギヤ７４と、このベベルギヤ７４の回転軸を支持するベベルギヤ支持部材７５と、超音波ヘッド６５を前方から側方にかけて覆う超音波透過性の先端キャップ７６を有して構成される。
【００１９】
前記超音波反射ミラー７２の回転軸は、挿入部５２挿入方向と直交しており、前記超音波送受信ユニット７１から送信される超音波ビームは、この超音波ビームを偏向させない場合には、超音波反射ミラー７２の回転軸と略平行に、超音波反射ミラー７２に向けて送信されるようになっている。そして、超音波反射ミラー７２が回転すると、超音波反射ミラー７２の回転軸に直交する断面内を走査する走査いわゆるセクタ機械走査が行われるようになっている。
【００２０】
前記処置具導出口６１は、この処置具導出口６１から導出される穿刺針等の処置具が湾曲していない場合には、超音波反射ミラー７２の回転軸に直交するような超音波ビームの走査範囲に処置具が導出されるように配置・形成されている。
【００２１】
図８に示すように、超音波送受信ユニット７１は、超音波ビームを送受信する超音波振動子８１と、この超音波振動子８１をハウジング８２と、このハウジング８２に対して超音波振動子８１を回動自在に軸支する回動軸８３と、ハウジング８２と超音波振動子８１背面との間に挟まれて配設され超音波振動子８１を回動方向に付勢する支持バネ８４と、ハウジング８２に本体部８５ａが固定され、この本体部８５ａに対して進退自在に進退する進退軸８５ｂ先端が、回動軸８３を挟んで支持バネ８４と反対側の超音波振動子８１背面に当接したマイクロシリンダ８５と、前記超音波振動子８１から超音波プローブ５１手元側へ延出し、超音波振動子８１を駆動する駆動信号等を伝送する同軸ケーブル８６と、前記マイクロシリンダ８５から超音波プローブ５１手元側へ延出しこのマイクロシリンダ８５を駆動制御するための制御信号ケーブル８７を有して構成されている。
【００２２】
前記超音波振動子８１は、駆動信号を超音波に変換して送信し、受信した超音波を電気信号に変換する圧電素子からなる超音波素子８１ａと、この超音波素子８１ａにより送受される超音波の伝搬方向を収束させる音響レンズ８１ｂと、超音波素子８１ａの背面側への超音波を減衰させる背面材８１ｃを有して構成されている。
【００２３】
次に、本実施の形態の作用を述べる。
前記同軸ケーブル８６を介して超音波プローブ５１手元側から供給される駆動信号が超音波振動子８１に印加されると、この超音波振動子８１からは前記超音波反射ミラー７２へ向けて超音波ビームが送出される。この超音波反射ミラー７２で反射された超音波ビームは、先端キャップ７６を透過して、例えば体内組織に向けて送信される。また、前記モータからフレキシブルシャフト７３を介して伝達された回転駆動力は、ベベルギヤ７４により回転軸が変換され、このベベルギヤ７４は、挿入方向と略直交する軸を回転軸として超音波反射ミラー７２を回転させる。これにより、超音波反射ミラー７２で反射される超音波ビームは、体内組織をセクタ走査するようになっている。体内組織へ向けて送信された超音波ビームは、音響インピーダンスの異なる体内組織の境界面で反射し、超音波反射ミラー７２を介して、超音波振動子８１で受信され、受信された超音波から変換された電気信号は、同軸ケーブル８６を介して超音波プローブ５１手元側へ伝送される。
【００２４】
このようにして送受信される超音波ビームは、次に説明するように、制御信号ケーブル８７を介してマイクロシリンダ８５に印加する電圧により、その走査範囲が偏向されるようになっている。
先ず、図９を使用して、マイクロシリンダ８５に電圧を印加していない場合の作用を説明する。前記支持バネ８４は、ハウジング８２と超音波振動子８１背面との間に押し縮められて配設されており、その伸張しようとする弾性力により、超音波振動子８１は、回動軸８３を軸として回動する方向に付勢されている。回動軸８３を挟んで支持バネ８４と反対側の超音波振動子８１背面には、前記マイクロシリンダ８５の進退軸８５ｂ先端が当接しており、この進退軸８５ｂは、前記支持バネ８４の付勢力により、本体部８５ａ内へ押し込められる方向に力を受けている。ここで、マイクロシリンダ８５に電圧が印加されていないので、進退軸８５ｂは、前記支持バネ８４の付勢力にそのまま従い、図９に示すように、本体部８５ａ内に押し込められる。すると、図に示すように、超音波振動子８１は、回動軸８３を軸として傾いた状態となり、超音波振動子８１から送信される超音波ビームの超音波反射ミラー７２への入射角が変化し、この超音波反射ミラー７２から出射される超音波ビームの方向は、図中の方向αへ傾く。つまり、超音波ビームの走査範囲が方向αへ偏向される。
【００２５】
次に、図１０を使用して、マイクロシリンダ８５に電圧を印加した場合の作用を説明する。前記マイクロシリンダ８５に電圧を印加すると、進退軸８５ｂは本体部８５ａから伸び出す方向に力を受け、前記支持バネ８４の付勢力に対抗する方向に、超音波振動子８１を回動させる。図は、進退軸８５ｂが最も伸び出した状態を示している。すると、超音波ビームの超音波反射ミラー７２への入射角が変化し、この超音波反射ミラー７２から出射される超音波ビームの方向は、図中の方向βへ傾く。つまり、超音波ビームの走査範囲が、図９に示す方向αとは反対の方向βへ偏向される。
【００２６】
また、制御信号ケーブル８７を介してマイクロシリンダ８５に印加する電圧を調節することにより、超音波ビームの走査範囲を方向αと方向βの間の任意の方向に偏向させることができる。これにより、処置具導出口６１から導出される穿刺針等の処置具が湾曲した場合でも、超音波ビームの走査範囲を偏向させることで、処置具の位置に超音波ビームを照射することができる。このとき、超音波振動子８１の開口面の幅は一定であるので、超音波ビームのビーム幅は略一定に維持されている。
【００２７】
以上説明した本実施の形態によれば、マイクロシリンダ８５に印加する電圧を調節することで、超音波ビームの走査範囲を偏向させることができ、また、超音波ビームの走査範囲を偏向させてもビーム幅は概ね一定に維持されるので、超音波ビームの分解能の劣化を防止できる。つまり、本実施の形態に係る機械走査式の超音波プローブ５１においても、第１の実施の形態に係る電子走査式の超音波プローブ１の場合と同様の効果を得ることができる。
【００２８】
なお、本発明は、上述の実施の形態のみに限定されるものではなく、発明の要旨を逸脱しない範囲で種々変形実施可能である。
例えば、前述したように、超音波プローブは、電子走査式であっても機械走査式であってもよい。
また、例えば、超音波プローブ１の走査方式は、リニア走査に限らず、セクタ走査であってもよい。このとき、超音波素子１５に与える信号の位相を制御するいわゆる位相制御型の構成とすることでセクタ走査を行ってもよいし、超音波振動子アレイ１４の開口面形状を凸型にするいわゆるコンベックス型の構成とすることでセクタ走査を行ってもよい。
また、例えば、偏向制御回路２２は、超音波素子１５と電子スイッチ２３との間に設ける代わりに、超音波素子１５とグランドとの間に設けてもよい。これにより、偏向制御回路は１つで済む。
【００２９】
［付記］
（付記項１−１）
体腔内等へ挿入する挿入部の先端部に設けられ、超音波ビームを送受信する超音波送受信手段と、
前記超音波送受信手段による超音波ビームの走査範囲に向けて穿刺針等の処置具を導出可能な処置具導出口とを備える超音波プローブにおいて、
前記超音波送受信手段による超音波ビームの走査範囲を偏向する超音波偏向手段を備えたことを特徴とする超音波プローブ。
【００３０】
（付記項１−２）
付記項１−１に記載の超音波プローブであって、
前記超音波送受信手段による超音波ビームの走査範囲の偏向方向を偏向範囲の略中央に向けた際に、前記処置具導出口から湾曲せずに導出される前記処置具の先端は超音波ビームの走査範囲内に位置する。
【００３１】
（付記項１−３）
付記項１−１に記載の超音波プローブであって、
超音波ビームの走査範囲を偏向させた際に、超音波ビームのビーム幅が略一定に維持される。
【００３２】
（付記項２−１）
付記項１−１に記載の超音波プローブであって、
前記超音波送受信手段は、走査方向である第１の方向及び前記第１の方向に略直交する第２の方向に配列された略矩形の複数の超音波素子を有する。
【００３３】
（付記項２−２）
付記項２−１に記載の超音波プローブであって、
前記第１の方向は、前記挿入部の挿入方向と略同方向である。
【００３４】
（付記項２−３）
付記項２−１に記載の超音波プローブであって、
前記超音波偏向手段は、前記第２の方向の位置によって前記超音波素子に与える駆動信号の位相を選択的に遅延させることで、超音波ビームを偏向させる。
【００３５】
（付記項２−４）
付記項２−１に記載の超音波プローブであって、
前記処置具導出口から湾曲せずに導出された処置具は、前記複数の超音波素子全体を前記第２の方向に略２分割し且つ前記複数の超音波素子の開口面に略垂直な平面の近傍に位置するように前記複数の超音波素子及び前記処置具導出口が配置されている。
【００３６】
（付記項３−１）
付記項１−１に記載の超音波プローブであって、
前記超音波送受信手段は、超音波ビームを送受信する超音波振動子と、この超音波振動子による超音波ビームを反射しつつ回転する超音波反射手段を有する。（付記項３−２）
付記項３−１に記載の超音波プローブであって、
前記超音波偏向手段は、前記超音波反射手段に対する前記超音波振動子の向きを機械的に変更する手段を有する。
【００３７】
（付記項３−３）
付記項３−２に記載の超音波プローブであって、
前記超音波振動子の向きを向きの偏向範囲の略中央にした際の前記超音波送受信手段による超音波ビームの走査範囲に、前記処置具導出口から湾曲せずに導出された処置具が位置するように前記超音波振動子と前記超音波反射手段と前記処置具導出口とが配置されている。
【００３８】
（付記項４−１）
体腔内等へ挿入する挿入部の先端部に、超音波ビームを送受信する超音波送受信手段と穿刺針等の処置具を導出可能な処置具導出口とを設けた超音波プローブにおいて、
前記超音波送受信手段による超音波ビームの走査面を複数種類切り替える走査面切り替え手段を設けると共に、前記走査面の切り替え幅の中心面と前記処置具導出口中心軸が略同一平面内になるように配置したことを特徴とする超音波プローブ。
【００３９】
（付記項４−２）
体腔内等へ挿入する挿入部の先端部に、複数の矩形超音波振動子を走査方向に並べた電子走査式超音波送受信手段と穿刺針等の処置具を導出可能な処置具導出口とを設けた超音波プローブにおいて、
前記処置具導出口を前記電子走査式超音波送受信手段の各前記矩形超音波振動子面に対して垂直で、且つ、走査幅方向の中心軸を通る面内と前記開口部中心軸が略同一となるように配し、更に、前記電気走査式超音波送受信手段を走査方向に平行な軸で複数列に分割し、隣り合う列の前記矩形超音波振動子に対して選択的に遅延可能な遅延回路を設けたことを特徴とする超音波プローブ
（付記項４−３）
体腔内等へ挿入する挿入部の先端部に、単一の超音波振動子から送信される超音波を機械的に走査する機械走査式超音波送受信手段と穿刺針等の処置具を導出可能な処置具導出口とを設けた超音波プローブにおいて、
前記処置具導出口を前記機械走査型超音波送受信手段による超音波の走査面と前記処置具導出口中心軸が略同一となるように配し、且つ、前記超音波振動子を前記走査面を偏向する方向に偏向可能としたことを特徴とする超音波プローブ。
【００４０】
【発明の効果】
以上説明したように、本発明によれば、穿刺針等の処置具が湾曲した場合でもこの処置具の位置に超音波ビームを照射することができ、且つ超音波ビームの分解能の劣化を防止できるという効果が得られる。
【図面の簡単な説明】
【図１】図１ないし図５は本発明の第１の実施の形態に係り、図１は超音波プローブの全体構成を示す説明図
【図２】先端部の構成を示す説明図
【図３】超音波ビームを走査するための構成を示す説明図
【図４】超音波ビームを偏向させるための構成を説明する説明図
【図５】穿刺針が湾曲している場合の作用を示す作用説明図で、（Ａ）は先端部を前方から見た正面図、（Ｂ）は（Ａ）の右側面図、（Ｃ）は（Ａ）の平面図
【図６】図６ないし図１０は本発明の第２の実施の形態に係り、図６は超音波プローブの全体構成を示す説明図
【図７】先端部の構成を示す一部断面図を含む説明図
【図８】超音波送受信ユニットの構成を示す断面図
【図９】超音波ビームを偏向させる際の作用を示す断面図
【図１０】超音波ビームを図９とは反対側に偏向させる際の作用を示す断面図
【符号の説明】
１…超音波プローブ
２…挿入部
５…先端部
９…処置具導出口
１０…超音波ヘッド
１４…超音波振動子アレイ
１５…超音波素子
２１…超音波レンズ
２２…偏向制御回路
２３…電子スイッチ
２４…駆動回路
３１…偏向切替スイッチ
３２…遅延回路
４１…穿刺針
５１…超音波プローブ
５２…挿入部
５７…先端部
６１…処置具導出口
６５…超音波ヘッド
７１…超音波送受信ユニット
７２…超音波反射ミラー
７４…ベベルギヤ
８１…超音波振動子
８３…回動軸
８４…支持バネ
８５…マイクロシリンダ
【図１】
0004248639.tif 000002
【図２】
0004248639.tif 000003
【図３】
0004248639.tif 000004
【図４】
0004248639.tif 000005
【図５】
0004248639.tif 000006
【図６】
0004248639.tif 000007
【図７】
0004248639.tif 000008
【図８】
0004248639.tif 000009
【図９】
0004248639.tif 000010
【図１０】
0004248639.tif 000011